(57)【特許請求の範囲】
【請求項１】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムを回転させる手動操作可能な回転ハンドル手段と、巻き取りドラムの逆転を禁止する禁止手段と、この禁止手段の逆転禁止を解除する解除手段とを具備しており、回転ハンドル手段は、巻き取りドラムの回転軸心方向において第一の位置と第二の位置との間で手動で移動自在であって、第一の位置では巻き取りドラムに係合して、その手動による回転で巻き取りドラムを回転させることができ、第二の位置では巻き取りドラムとの係合が解除されて、巻き取りドラムの逆転で逆転されないようになっており、解除手段は、回転ハンドル手段が第二の位置に移動されることにより、禁止手段の逆転禁止を解除するようになっており、回転ハンドル手段は、第一の位置と第二の位置との間で手動で移動自在な環状部を具備しており、解除手段は、回転ハンドル手段の環状部が第二の位置に移動される際に、当該環状部に当接するように、環状部に覆われて、環状部に向かって突出した解除釦を具備している窓開閉操作装置。
【請求項２】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムを回転させる手動操作可能な回転ハンドル手段と、巻き取りドラムの逆転を禁止する禁止手段と、この禁止手段の逆転禁止を解除する解除手段とを具備しており、回転ハンドル手段は、巻き取りドラムの回転軸心方向において第一の位置と第二の位置との間で手動で移動自在であって、第一の位置では巻き取りドラムに係合して、その手動による回転で巻き取りドラムを回転させることができ、第二の位置では巻き取りドラムとの係合が解除されて、巻き取りドラムの逆転で逆転されないようになっており、解除手段は、回転ハンドル手段が第二の位置に移動されることにより、禁止手段の逆転禁止を解除するようになっており、巻き取りドラムは、ワイヤを巻き取るドラム本体と、このドラム本体に一体的に固着された回転軸とを具備しており、回転軸は、角付面部と、円形面部とを有しており、回転ハンドル手段は、第一の位置では、回転軸の角付面部に嵌合し、第二の位置で円形面部に隙間をもって配される角付内周面を有した筒部を具備している窓開閉操作装置。
【請求項３】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムを回転させる手動操作可能な回転ハンドル手段と、巻き取りドラムの逆転を禁止する禁止手段と、この禁止手段の逆転禁止を解除する解除手段とを具備しており、回転ハンドル手段は、巻き取りドラムの回転軸心方向において第一の位置と第二の位置との間で手動で移動自在であって、第一の位置では巻き取りドラムに係合して、その手動による回転で巻き取りドラムを回転させることができ、第二の位置では巻き取りドラムとの係合が解除されて、巻き取りドラムの逆転で逆転されないようになっており、解除手段は、回転ハンドル手段が第二の位置に移動されることにより、禁止手段の逆転禁止を解除するようになっており、禁止手段は、巻き取りドラムの外周部に形成されたラチェット歯に係合するラチェット爪部材と、このラチェット爪部材を備えていると共に、切り欠き部を具備した揺動自在な揺動部材と、巻き取りドラムの回転によるラチェット爪部材を介する揺動部材の一方の揺動方向への揺動を、切り欠き部での揺動部材への係合により阻止するローラと、揺動部材を一方の揺動方向に弾性的に付勢する弾性手段とを具備しており、巻き取りドラムが正転される際に、ラチェット爪部材とラチェット歯との係合が断続的に解除されるように、揺動部材が弾性手段により付勢されて揺動されるようになっており、解除手段は、回転ハンドル手段が第二の位置に移動されることにより、ローラを切り欠き部から離脱させるようになっている窓開閉操作装置。
【請求項４】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムを回転させる手動操作可能な回転ハンドル手段と、巻き取りドラムの逆転を禁止する禁止手段と、この禁止手段の逆転禁止を解除する解除手段とを具備しており、回転ハンドル手段は、巻き取りドラムの回転軸心方向において第一の位置と第二の位置との間で手動で移動自在であって、第一の位置では巻き取りドラムに係合して、その手動による回転で巻き取りドラムを回転させることができ、第二の位置では巻き取りドラムとの係合が解除されて、巻き取りドラムの逆転で逆転されないようになっており、解除手段は、回転ハンドル手段が第二の位置に移動されることにより、禁止手段の逆転禁止を解除するようになっており、禁止手段は、巻き取りドラムの外周部に形成されたラチェット歯に係合するラチェット爪部材と、このラチェット爪部材を備えていると共に、切り欠き部を具備した揺動自在な揺動部材と、巻き取りドラムの回転によるラチェット爪部材を介する揺動部材の一方の揺動方向への揺動を、切り欠き部での揺動部材への係合により阻止するローラとを具備しており、解除手段は、回転ハンドル手段が第二の位置に移動されることにより、ローラを切り欠き部から離脱させるようになっており、ラチェット爪部材は、揺動部材に、当該揺動部材の揺動軸心と同心に揺動自在に装着されており、禁止手段は、ラチェット爪部材を揺動部材に対して前記一方の揺動方向と反対の他方の揺動方向に弾性的に付勢する弾性手段を具備しており、巻き取りドラムが逆転される際に、ラチェット爪部材とラチェット歯との係合が断続的に解除されるように、ラチェット爪部材が揺動部材に対して弾性手段により揺動されるようになっている窓開閉操作装置。
【請求項５】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムを回転させる手動操作可能な回転ハンドル手段と、巻き取りドラムの逆転を禁止する禁止手段と、この禁止手段の逆転禁止を解除する解除手段とを具備しており、回転ハンドル手段は、巻き取りドラムの回転軸心方向において第一の位置と第二の位置との間で手動で移動自在であって、第一の位置では巻き取りドラムに係合して、その手動による回転で巻き取りドラムを回転させることができ、第二の位置では巻き取りドラムとの係合が解除されて、巻き取りドラムの逆転で逆転されないようになっており、解除手段は、回転ハンドル手段が第二の位置に移動されることにより、禁止手段の逆転禁止を解除するようになっており、禁止手段は、巻き取りドラムの外周部に形成されたラチェット歯に係合するラチェット爪部材と、このラチェット爪部材を備えていると共に、切り欠き部を具備した揺動自在な揺動部材と、巻き取りドラムの回転によるラチェット爪部材を介する揺動部材の一方の揺動方向への揺動を、切り欠き部での揺動部材への係合により阻止するローラとを具備しており、解除手段は、回転ハンドル手段が第二の位置に移動されることにより、ローラを切り欠き部から離脱させるようになっており、ローラは、巻き取りドラムの逆転を禁止している際には、切り欠き部を規定する揺動部材の一方の壁にその回転自在な外周面が当接するようになっている窓開閉操作装置。
【請求項６】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムを回転させる手動操作可能な回転ハンドル手段と、巻き取りドラムの逆転を禁止する禁止手段と、この禁止手段の逆転禁止を解除する解除手段とを具備しており、回転ハンドル手段は、巻き取りドラムの回転軸心方向において第一の位置と第二の位置との間で手動で移動自在であって、第一の位置では巻き取りドラムに係合して、その手動による回転で巻き取りドラムを回転させることができ、第二の位置では巻き取りドラムとの係合が解除されて、巻き取りドラムの逆転で逆転されないようになっており、解除手段は、回転ハンドル手段が第二の位置に移動されることにより、禁止手段の逆転禁止を解除するようになっており、禁止手段は、巻き取りドラムの外周部に形成されたラチェット歯に係合するラチェット爪部材と、このラチェット爪部材を備えていると共に、切り欠き部を具備した揺動自在な揺動部材と、巻き取りドラムの回転によるラチェット爪部材を介する揺動部材の一方の揺動方向への揺動を、切り欠き部での揺動部材への係合により阻止するローラとを具備しており、解除手段は、回転ハンドル手段が第二の位置に移動されることにより、ローラを切り欠き部から離脱させるようになっており、揺動部材は、切り欠き部からローラが離脱されて巻き取りドラムの逆転が可能とされる際に、当該ローラに当接して一定以上の一方の揺動方向への揺動が阻止されて、巻き取りドラムの逆転後の正転においてラチェット爪部材とラチェット歯との再係合を保証する壁を具備している窓開閉操作装置。
【請求項７】
巻き取りドラムの逆転における当該巻き取りドラムの回転速度を抑える制動手段を更に具備している請求項１から６のいずれか一項に記載の窓開閉操作装置。
【発明の詳細な説明】
【０００１】
【発明の属する技術分野】
本発明は、常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置に関する。
【０００２】
【発明が解決しようとする課題】
窓開閉操作装置としては、実公平６−１３９８２号公報に記載されているものがあるが、この公報に記載された窓開閉操作装置では、巻き取りドラムに形成されたラチェットホイールに係合する二つの爪部材を設けて、ワイヤを巻き取りドラムに巻き取る際には、一方の爪部材をラチェットホイールに係合させて、巻き取りドラムの逆転を禁止（ロック）し、ワイヤを巻き取りドラムから繰り出す際には、押しボタンの操作により一方の爪部材とラチェットホイールとの係合を解除して、他方の爪部材をラチェットホイールに係合させ、繰り出し後のワイヤの巻き取りにおいては、他方の爪部材とラチェットホイールとの係合により押しボタンの自動復帰を行わせるようにしている。
【０００３】
ところで、公報に記載の窓開閉操作装置においては、ラチェットホイールの回転で、他方の爪部材をラチェットホイールの係止歯から押し出すようにして押しボタンの自動復帰を行っているために、他方の爪部材とラチェットホイールの係止歯との間の摩擦が大きいと、押しボタンの自動復帰がスムーズに行われない虞があり、また、他方の爪部材とラチェットホイールの係止歯との係合角が浅いものでないと、他方の爪部材をラチェットホイールの係止歯から押し出すことが困難となり、他方の爪部材がラチェットホイールの回転に対しての突っ張り部材となり、結局、上記と同様に、押しボタンの自動復帰をスムーズに且つ信頼性をもって行い得ない場合が生じ得る。
【０００４】
また、公報に記載の窓開閉操作装置においては、二つの爪部材を設けるために構造が複雑となり、しかも、この二つの爪部材及びラチェットホイールの係止歯を上記の不都合が生じないように、設計、調整しなければならないために、コストアップになる虞がある。
【０００５】
更に上述の窓開閉操作装置においては、操作ハンドルは着脱式となっているために、操作ハンドルの紛失等により障子を閉鎖できなくなる場合があり、それ程実用的であるとは言えず、加えて、不注意により操作ハンドルを取り付けけたままでロック解除が行われると、操作ハンドルの飛び出し又は操作指の操作ハンドルへの巻き込み等が生じ、思わぬ事故の原因となる虞がある。
【０００６】
本発明は、前記諸点に鑑みてなされたものであって、その目的とするところは、操作ハンドルを取り付けけたままでロック解除（逆転禁止解除）を行うことができる窓開閉操作装置を提供することにある。
【０００７】
本発明の他の目的とするところは、操作ハンドルの飛び出し又は操作指の操作ハンドルへの巻き込み等を生じさせない安全な窓開閉操作装置を提供することにある。
【０００８】
本発明の更に他の目的とするところは、設計、調整が容易であって、コスト低減を図り得る窓開閉操作装置を提供することにある。
【０００９】
本発明の更に他の目的とするところは、巻き取りドラムの逆転を禁止する禁止手段をスムーズに元に復帰させることができる窓開閉操作装置を提供することにある。
【００１０】
【課題を解決するための手段】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした本発明の第一の態様の窓開閉操作装置は、巻き取りドラムを回転させる手動操作可能な回転ハンドル手段と、巻き取りドラムの逆転を禁止する禁止手段と、この禁止手段の逆転禁止を解除する解除手段とを具備しており、回転ハンドル手段は、巻き取りドラムの回転軸心方向において第一の位置と第二の位置との間で手動で移動自在であって、第一の位置では巻き取りドラムに係合して、その手動による回転で巻き取りドラムを回転させることができ、第二の位置では巻き取りドラムとの係合が解除されて、巻き取りドラムの逆転で逆転されないようになっており、解除手段は、回転ハンドル手段が第二の位置に移動されることにより、禁止手段の逆転禁止を解除するようになっている。
【００１１】
本発明の第一の態様の窓開閉操作装置では、第一の位置と第二の位置との間で手動で移動自在な回転ハンドル手段を有し、禁止手段の逆転禁止が回転ハンドル手段の第二の位置への移動により解除手段を介して解除されるようになっているために、回転ハンドル手段を取り付けたままでロック解除を行うことができ、回転ハンドル手段の紛失等により障子を閉鎖できなくなる場合をなくし得る。
【００１２】
本発明の第二の態様の窓開閉操作装置では、第一の態様の窓開閉操作装置において、回転ハンドル手段は、第一の位置と第二の位置との間で手動で移動自在な環状部を具備しており、解除手段は、回転ハンドル手段の環状部が第二の位置に移動される際に、当該環状部に当接するように、環状部に覆われて、環状部に向かって突出した解除釦を具備している。
【００１３】
第二の態様の窓開閉操作装置によれば、解除手段の解除釦が回転ハンドル手段の環状部に覆われているために、解除釦自体が直接に手動操作される虞がなく、操作指の回転ハンドル手段への巻き込み等を生じさせない安全な窓開閉操作装置を提供することができる。
【００１４】
本発明の第三の態様の窓開閉操作装置では、第一又は第二の態様の窓開閉操作装置において、巻き取りドラムは、ワイヤを巻き取るドラム本体と、このドラム本体に一体的に固着された回転軸とを具備しており、回転軸は、角付面部と、円形面部とを有しており、回転ハンドル手段は、第一の位置では、回転軸の角付面部に嵌合し、第二の位置で円形面部に隙間をもって配される角付内周面を有した筒部を具備している。
【００１５】
第三の態様の窓開閉操作装置によれば、互いに嵌合、非嵌合となる回転軸と筒部とを有しているために、設計、調整が容易であって、コスト低減を図り得る。
【００１６】
本発明の第四の態様の窓開閉操作装置では、第一から第三の態様のいずれかの窓開閉操作装置において、禁止手段は、巻き取りドラムの外周部に形成されたラチェット歯に係合するラチェット爪部材と、このラチェット爪部材を備えていると共に、切り欠き部を具備した揺動自在な揺動部材と、巻き取りドラムの回転によるラチェット爪部材を介する揺動部材の一方の揺動を、切り欠き部での揺動部材への係合により阻止するローラとを具備しており、解除手段は、回転ハンドル手段が第二の位置に移動されることにより、ローラを切り欠き部から離脱させるようなっている。
【００１７】
第四の態様の窓開閉操作装置によれば、禁止手段が揺動部材に係合するローラを具備しているために、禁止手段における禁止解除を行わせる解除手段の動作並びに当該解除手段の復帰をスムーズに行わせることができ、また、復帰においても巻き取りドラムの回転を単一のラチェット爪部材を介して揺動部材に伝達するようにしているために、上記の作用と相俟って解除手段の復帰をスムーズに行わせることができ、設計、調整を簡単に行い得る。
【００１８】
本発明の第五の態様の窓開閉操作装置では、第四の態様の窓開閉操作装置において、禁止手段は、揺動部材を一方の揺動方向に弾性的に付勢する弾性手段を更に具備しており、巻き取りドラムが正転される際に、ラチェット爪部材とラチェット歯との係合が断続的に解除されるように、揺動部材が弾性手段により付勢されて揺動されるようになっている。
【００１９】
第五の態様の窓開閉操作装置によれば、巻き取りドラムの正転中にラチェット爪部材とラチェット歯との係合が断続的に解除されるようになっているために、巻き取りドラムの正転を一時停止しても、直ちに禁止手段を働かせることができ、フェールセーフな窓開閉操作装置とし得る。
【００２０】
本発明の第六の態様の窓開閉操作装置では、第四又は第五の態様の窓開閉操作装置において、ラチェット爪部材は、揺動部材に、当該揺動部材の揺動軸心と同心に揺動自在に装着されており、禁止手段は、ラチェット爪部材を揺動部材に対して前記一方の揺動方向と反対の他方の揺動方向に弾性的に付勢する他の弾性手段を更に具備しており、巻き取りドラムが逆転される際に、ラチェット爪部材とラチェット歯との係合が断続的に解除されるように、ラチェット爪部材が揺動部材に対して他の弾性手段により揺動されるようになっている。
【００２１】
第六の態様の窓開閉操作装置によれば、障子の開放後、ラチェット爪部材とラチェット歯との係合を直ちに確保できるために、回転ハンドル手段を第一の位置に移動させれば、解除手段の復帰を直ちに行わせることができる。
【００２２】
本発明の第七の態様の窓開閉操作装置では、第四から第六の態様のいずれかの窓開閉操作装置において、ローラは、巻き取りドラムの逆転を禁止している際には、切り欠き部を規定する揺動部材の一方の壁にその回転自在な外周面が当接するようになっている。
【００２３】
本発明の第八の態様の窓開閉操作装置では、第四から第七の態様のいずれかの窓開閉操作装置において、揺動部材は、切り欠き部からローラが離脱されて巻き取りドラムの逆転が可能とされる際に、当該ローラに当接して一定以上の一方の揺動が阻止されて、巻き取りドラムの逆転後の正転においてラチェット爪部材とラチェット歯との再係合を保証する壁を更に具備している。
【００２４】
本発明の第九の態様の窓開閉操作装置では、第一から第八の態様のいずれかの窓開閉操作装置において、巻き取りドラムの逆転における当該巻き取りドラムの回転速度を抑える制動手段を更に具備している。
【００２５】
第九の態様の窓開閉操作装置によれば、制動手段を有しているために、障子の開放を制御された速度にでき、障子の最大開放におけるストッパ部材等への激突を避けることができ、障子及びその硝子並びにストッパ部材等の損壊を好ましく防止できる。
【００２６】
【発明の実施の形態】
次に本発明及びその実施の形態を、図に示す好ましい例を参照して更に詳細に説明する。なお、本発明はこの例に何等限定されないのである。
【００２７】
【実施例】
図１から図８において、本例の窓開閉操作装置１は、常時は開放方向にガスステイ２により付勢された障子３に連結されたワイヤ４の一端５が固着された巻き取りドラム６を正転、すなわちＦ方向に回転させることによりワイヤ４を巻き取りドラム６に巻き取って障子３を閉鎖し、ガスステイ２のガス圧及び障子３の自重に基づく障子３への開放付勢力により巻き取りドラム６の逆転、すなわちＲ方向の回転によりワイヤ４を巻き取りドラム６から繰り出して、障子３を開放するようになっている。
【００２８】
なお、本例では、障子３への開放付勢力を、ガスステイ２のガス圧及び障子３の自重により与えているが、これに代えて、障子３の自重のみで与えてもよく、また、板ばね又はコイルばね等により与えてもよい。
【００２９】
各ガスステイ２は、障子３の枠１１と窓枠１２との間に配されており、各障子３を常時そのガス圧により開放方向に付勢している。障子３及び窓枠１２等からなる排煙窓１３の窓枠１２に一端で回動自在に軸支された各障子３の夫々には、プーリ１４が取り付けられており、他端１５が窓枠１２に固定されたワイヤ４は、各プーリ１４を通って配索されている。
【００３０】
手動操作可能なように、排煙窓１３の下方の壁面等に配される窓開閉操作装置１は、前記の巻き取りドラム６と、巻き取りドラム６をＦ及びＲ方向に回転させる手動操作可能な回転ハンドル手段２１と、巻き取りドラム６のＲ方向の回転を禁止する禁止手段２２と、禁止手段２２の逆転禁止を解除する解除手段２３と、巻き取りドラム６の逆転における巻き取りドラム６の回転速度を抑える制動手段２４と、排煙窓１３の下方の壁面等にねじ等により固着される基台２５と、基台２５にねじ２６等により取り付けられた中間基板２７と、ドラム６、禁止手段２２及び中間基板２７等を覆うように、基台２５に着脱自在に取り付けられており、貫通孔２９及び３０を有した化粧カバー２８とを具備している。
【００３１】
巻き取りドラム６は、有底中空巻き取り部３１及び中空軸部３２を一体的に有するドラム本体３３と、有底中空巻き取り部３１にねじ３４等を介して固着された歯付き鍔部３５と、中空軸部３２に同じくねじ（図示せず）等を介して固着されたラチェット歯付き鍔部３６と、一端部３７が有底中空巻き取り部３１に固着された回転軸３８とを具備している。
【００３２】
巻き取りドラム６は、一方では、中空軸部３２で、基台２５に一体的に形成された環状突起４１に、他方では、回転軸３８で、鍔付ブッシュ４２を介して中間基板２７に回転軸心４３の周りでＦ及びＲ方向に回転自在に支持されており、鍔部３５の外周面には歯４４が、鍔部３６の外周面にはラチェット歯４５が夫々形成されている。回転軸３８は、他端部４６に、角付面部、本例では六角面部４７と、円形面部、本例では円柱部４８とを互いに隣接して有している。
【００３３】
巻き取りドラム６は、回転軸心４３を中心としたＦ方向の回転により、これに一端５が固着されたワイヤ４をドラム本体３３に巻き取り、解除手段２３の作動で、回転軸心４３を中心としたＦ方向と逆のＲ方向の回転により、ドラム本体３３に巻き取ったワイヤ４を繰り出すようになっている。
【００３４】
回転ハンドル手段２１は、ハンドル基体５１と、ハンドル基体５１にねじ５２により取り付けられたハンドル５３と、ハンドル基体５１を、巻き取りドラム６の回転軸心４３方向において第一の位置と第二の位置とで係止する係止手段５４とを具備している。
【００３５】
ハンドル基体５１は、環状部５５と、環状部５５に一体形成された円筒部５６とを具備しており、円筒部５６には環状凹所５７が形成されており、環状溝５７には、中間基台２７の円筒部５８が回転軸心４３方向、すなわちＡ及びＢ方向に摺動自在であって且つ回転軸心４３の周りでＦ及びＲ方向に回転自在となるように、嵌入されている。
【００３６】
円筒部５６は、回転軸心４３方向における回転ハンドル手段２１の第一の位置では、回転軸３８の六角面部４７にＡ及びＢ方向に摺動自在に嵌合し、回転軸心４３方向における回転ハンドル手段２１の第二の位置では、回転軸３８の円柱部４８に隙間をもって配される角付内周面、すなわち六角内周面６０を有している。
【００３７】
回転軸３８の一端面には、ワッシャ６１が当該一端面に螺着されたねじ６２により固定されており、ハンドル基体５１は、ワッシャ６１により回転軸３８及び円筒部５８から抜け出さないようになっている。
【００３８】
ハンドル５３は、円環状であって、前面に溝６５が形成されたハンドル基部６６と、ハンドル基部６６にヒンジ機構６７を介して折り畳み自在に連結されたハンドル本体６８と、ハンドル本体６８の先端に回転自在に取り付けられた摘み６９とを具備している。
【００３９】
係止手段５４は、ボール７１と、先端部にボール７１が配されたコイルばね７２と、コイルばね７２の後端部に配されたねじピン７３と、円筒部５８の外周面に互いに回転軸心４３方向に離れて形成された２条の環状溝７４及び７５とを具備している。
【００４０】
ボール７１及びコイルばね７２は、円筒部５６に形成された貫通孔７６に挿入されており、貫通孔７６でのねじピン７３の円筒部５６への螺合、固着により貫通孔７６から抜け出さないようになっており、ボール７１は、環状溝７４及び７５のいずれかにおいて円筒部５６に弾性的に係合して、回転ハンドル手段２１を第一の位置と第二の位置とのいずれかにおいて保持するようになっている。
【００４１】
回転ハンドル手段２１は、Ａ及びＢ方向において中間基台２７に対して第一の位置と第二の位置との間で手動で移動自在であって、第一の位置では、ボール７１が環状溝７４において円筒部５６に弾性的に係合してその位置が保持されると共に、六角内周面６０において回転軸３８の六角面部４７に係合して、その手動によるＦ方向の回転で巻き取りドラム６を同じくＦ方向に回転させることができ、第二の位置では、ボール７１が環状溝７５において円筒部５６に弾性的に係合してその位置が保持されると共に、角付内周面６０が回転軸３８の円柱部４８に隙間をもって配されて巻き取りドラム６との係合が解除され、巻き取りドラム６のＲ方向の回転で同じくＲ方向に回転されないようになっている。このように回転ハンドル手段２１は、それの全体を、中間基台２７から離れるように引いたり（Ａ方向移動）、中間基台２７に向かって押したり（Ｂ方向移動）することにより、巻き取りドラム６に係合させたり、それに非係合にさせたりすることができるようになっている。
【００４２】
なお、回転ハンドル手段２１では、巻き取りドラム６を回転させない場合には、図５及び図６に示すように、ハンドル本体６８を折り畳んで、摘み６９を介してのハンドル本体６８の回転操作ができないようになっており、巻き取りドラム６を回転させる場合には、図２及び図３に示すように（図３では２点鎖線で示す）、ハンドル本体６８の折り畳みを解除して、摘み６９を介してのンドル本体６８の回転操作ができるようになっている。
【００４３】
禁止手段２２は、巻き取りドラム６の鍔部３６の外周部に形成されたラチェット歯４５に係合するラチェット爪部材８１と、ラチェット爪部材８１を備えていると共に、切り欠き部８２を具備して、揺動軸心８３の周りでＣ及びＤ方向に揺動自在な揺動部材８４と、切り欠き部８２での揺動部材８４への係合により揺動部材８４のＣ方向の揺動を阻止するローラ８５とを具備している。
【００４４】
揺動部材８４は、半円板状の揺動部材本体８６と、切り欠き部８２を有して、揺動部材本体８６にねじ８７により固着された板体８８とを具備しており、ラチェット爪部材８１と共に揺動部材本体８６及び板体８８は、基台２５に植設された軸８９に、当該軸８９の周り、すなわち揺動軸心８３の周りでＣ及びＤ方向に揺動自在に支持されて、軸８９に螺合したねじ９０を介して取り付けられている。切り欠き部８２は、揺動部材８４の揺動方向において約４５°の角度範囲に渡って板体８８に形成されており、したがって、切り欠き部８２を規定する板体８８の揺動方向における壁９１及び９２は、約４５°の角度をもって対向している。
【００４５】
揺動部材８４の揺動方向における揺動部材本体８６の一方の平坦面９３は、壁９２と面一に配されており、巻き取りドラム６の逆転後の正転においてラチェット爪部材８１とラチェット歯４５との再係合を保証する壁としての他方の平坦面９４は、平坦面９３から揺動部材８４の揺動方向において約１８０°隔たって配されている。揺動部材本体８６には、更に溝９５が形成されており、溝９５には、ラチェット爪部材８１に当接して、ラチェット爪部材８１を揺動部材８４に対して弾性的にＤ方向に付勢する弾性手段としてのコイルばね９６が配されている。
【００４６】
コイルばね９６によりＤ方向に付勢されているラチェット爪部材８１は、当該ラチェット爪部材８１を貫通する軸８９にＣ及びＤ方向に揺動自在に支持されていると共に、揺動部材本体８６自体に対しても多少Ｃ及びＤ方向に揺動自在となるように、揺動部材本体８６の凹所９７に遊嵌されており、ラチェット爪部材８１の先端部９８は、揺動部材本体８６から突出して、ラチェット歯４５に係合するようになっている。
【００４７】
揺動部材８４は、基台２５の突出台９９に一端１００が係止され、中間部１０１が軸８９の大径下部１０２に巻き付けられ、他端１０３が揺動部材本体８６の平坦面９３に係合した弾性手段としての捩りコイルばね１０４により、常時Ｃ方向に付勢されている。
【００４８】
ローラ８５は、ねじ１０５を介して軸１０６に回転自在に取り付けられており、巻き取りドラム６の逆転、すなわちＲ方向の回転を禁止している際には、切り欠き部８２を規定する板体８８の一方の壁９１にその回転自在な外周面が当接するようなっている。
【００４９】
解除手段２３は、回転ハンドル手段２１がＢ方向に押されて、その環状部５５が第二の位置に移動される際に、当該環状部５５に当接して同じくＢ方向に押されるように、環状部５５に覆われて、且つ環状部５５に向かって化粧カバー２８の貫通孔３０から突出した解除釦１１１と、一端に解除釦１１１が固着されたアーム部材１１２と、アーム部材１１２の他端にねじ１１３を介して固着された摺動体１１４と、摺動体１１４を摺動自在に保持する保持体１１５と、摺動体１１４及びアーム部材１１２を介して解除釦１１１を元の位置に復帰させる弾性手段としてのコイルばね１１６とを具備している。
【００５０】
摺動体１１４は、ローラ８５を回転自在に支持する前記の軸１０６を具備しており、その下端の鍔部１２１が保持体１１５の内周面の段部１２２に係合して、保持体１１５から飛び出さないようになっており、保持体１１５は、ねじ１２３により基台２５に固着されており、コイルばね１１６は、一端が摺動体１１４の有底孔１２４において当該摺動体１１４に当接し、他端が基台２５に当接して、摺動体１１４、延いては解除釦１１１を元の位置に復帰させるように、摺動体１１４を弾性的に付勢している。
【００５１】
解除手段２３は、回転ハンドル手段２１が手動によりＢ方向に押されて、その環状部５５により解除釦１１１がコイルばね１１６の弾性力に抗して同じくＢ方向に押されると、アーム部材１１２を介して摺動体１１４がコイルばね１１６を縮めながら保持体１１５内に更に挿入されることにより、ローラ８５と壁９１との当接を解除して、切り欠き部８２からローラ８５を離脱させて、揺動部材８４をＣ方向に揺動可能とし、而して、巻き取りドラム６の逆転、すなわちＲ方向の回転を可能にする。而して、解除手段２３は、回転ハンドル手段２１が手動によりＢ方向に押されて第二の位置に移動されることにより、禁止手段２２の逆転禁止を解除するようになっている。
【００５２】
制動手段２４は、鍔部３５の歯４４に噛み合うようにして、中間基板２７の貫通孔１５１に回転自在に支持された歯車１６１と、歯車１６１に噛み合うピニオン１６２を一体的に有して、一端部１６３で中間基板２７の貫通孔１５２に、他端部１６４で基台２５に回転自在に支持された軸部材１６５と、軸部材１６５に径方向に突出して形成された複数の突起１６６の夫々に、径方向に移動自在に装着された制動部材１６７と、各制動部材１６７の外周部の溝１６８に装着されて各制動部材１６７の周囲を取り囲み、各制動部材１６７を軸部材１６５に向かって弾性的に付勢するガータスプリング１６９と、基台２５に一体的に形成された筒状部１７０とを具備しており、各制動部材１６７は、筒状部１７０に囲まれて配されている。
【００５３】
制動手段２４は、巻き取りドラム６の回転による歯車１６１の回転でピニオン１６２を介して軸部材１６５が回転されることにより、制動部材１６７に遠心力を与えて、一定以上の大きさの遠心力により制動部材１６７をガータスプリング１６９の弾性力に抗して径方向の外側に移動させて、制動部材１６７の外周面を筒状部１７０の内周面に摩擦接触させて、制動部材１６７の回転、すなわち歯車１６１を介しての巻き取りドラム６の回転に制動を与えるようになっている。
【００５４】
制動手段２４のこの制動作用により、巻き取りドラム６の逆転におけるその回転速度を抑えて、障子３の窓枠１２への激突を防止するようにしている。
【００５５】
以上の窓開閉操作装置１では、回転ハンドル手段２１が、Ａ方向に手動により移動されて、環状溝７４におけるボール７１と円筒部５６との弾性的な係合で第一の位置に保持されている状態で、折り畳み解除されたハンドル本体６８が摘み６９を介して手動によりＦ方向に回転されると、円筒部５６の六角内周面６０と回転軸３８の六角面部４７との係合を介して回転軸３８がＦ方向に回転される結果、巻き取りドラム６全体も同じくＦ方向に回転され、ラチェット歯４５とラチェット爪部材８１との係合により揺動部材８４がＤ方向に揺動され、この揺動により図９に示すように、ラチェット歯４５とラチェット爪部材８１との係合が解除され、以後、ハンドル本体６８のＦ方向の連続的な回転で、ラチェット歯４５とラチェット爪部材８１との係合が断続的に解除されるようにして、巻き取りドラム６がＦ方向に回転される結果、ワイヤ４が巻き取りドラム６に巻き取られて、而して、ガスステイ２のガス圧等に抗して障子３を閉鎖することができる。
【００５６】
完全閉鎖後又は閉鎖途中で、ハンドル本体６８へのＦ方向の回転力の付与を停止すると、巻き取りドラム６の若干のＲ方向の回転と、ラチェット歯４５へのラチェット爪部材８１の係合とにより、揺動部材５３がＣ方向に揺動されて、揺動部材８４の壁９１がローラ８５に当接し、これにより揺動部材８４のＣ方向の揺動が阻止される結果、ラチェット歯４５とラチェット爪部材８１との係合がしっかりと確保され、以後、巻き取りドラム６のＲ方向の回転が阻止され、障子３の完全閉鎖又は半開きが維持される。
【００５７】
また窓開閉操作装置１では、ハンドル本体６８が折り畳まれた状態で又は折り畳み解除された状態で、回転ハンドル手段２１全体が手動によりＢ方向に移動されて、環状溝７５におけるボール７１と円筒部５６との弾性的な係合で第二の位置に保持されると、円筒部５６の六角内周面６０が回転軸３８の円柱部４８に隙間をもって配されて、円筒部５６の六角内周面６０と回転軸３８の六角面部４７との係合が解除され、ハンドル本体６８の回転が回転軸３８に伝達されないようになると共に、回転軸３８の回転もハンドル本体６８に伝達されないようになる一方、環状部５５により解除釦１１１がＢ方向に押される結果、アーム部材１１２及び摺動体１１４を介してローラ８５が移動されて、而して図１０に示すように壁９１のローラ８５への当接が解除されて、揺動部材８４がＣ方向に揺動可能となり、揺動部材８４は、ワイヤ４を介するガスステイ２のガス圧等による巻き取りドラム６の若干のＲ方向の回転で、ラチェット歯４５とラチェット爪部材８１との係合を介して、同じくＣ方向に揺動され、この揺動によりラチェット歯４５とラチェット爪部材８１との係合が解除され、以後、巻き取りドラム６は、ワイヤ４を介するガスステイ２のガス圧等によりＲ方向に回転され、巻き取りドラム６からワイヤ４が繰り出され、巻き取りドラム６のＲ方向の継続的なこの回転において、コイルばね９６の弾性力とガスステイ２のガス圧等とによりラチェット歯４５とラチェット爪部材８１との係合が断続的に解除されながらの巻き取りドラム６からのワイヤ４の繰り出しで、障子３が完全開放されると、図示しないストッパに障子３が当接して、ワイヤ４の繰り出しが停止され、巻き取りドラム６のＲ方向の回転が停止される。
【００５８】
窓開閉操作装置１では、巻き取りドラム６のＲ方向の回転が速くなると、制動部材１６７の外周面の筒状部１７０の内周面への摩擦接触が生じて、巻き取りドラム６のＲ方向の回転に制動を与えて、障子３の図示しないストッパへの激突を避けるようになっており、また、回転ハンドル手段２１が第二の位置に保持されている状態では、円筒部５６の六角内周面６０と回転軸３８の六角面部４７との係合が解除されているために、巻き取りドラム６のＲ方向の回転においては、回転ハンドル手段２１が回転しなく、したがって、巻き取りドラム６は、回転ハンドル手段２１に対して空転するようになっている。
【００５９】
なお、窓開閉操作装置１では、揺動部材８４は平坦面９４を具備しているため、切り欠き部８２からローラ８５が離脱されて、巻き取りドラム６の逆転が可能とされる際に、平坦面９４がローラ８５に当接して一定以上の揺動部材８４のＣ方向の揺動が阻止されて、巻き取りドラム６の逆転後の正転においてラチェット爪部材８１とラチェット歯４５との再係合が保証されるようになっている。
【００６０】
上記のように窓開閉操作装置１では、第一の位置と第二の位置との間で手動で移動自在な回転ハンドル手段２１を有し、禁止手段２２の逆転禁止が回転ハンドル手段２１の第二の位置への移動により解除手段２３を介して解除されるようになっているために、回転ハンドル手段２１を取り付けたままでロック解除（逆転禁止解除）を行うことができ、回転ハンドル手段２１の紛失等により障子３を閉鎖できなくなる場合をなくし得る。
【００６１】
また窓開閉操作装置１では、解除手段２３の解除釦１１１が回転ハンドル手段２１の環状部５５に覆われているために、解除釦１１１自体が直接に手動操作される虞がなく、操作指の回転ハンドル手段２１への巻き込み等を生じさせない安全なものとし得る。
【００６２】
更に窓開閉操作装置１では、互いに嵌合、非嵌合となる回転軸３８と円筒部５６とを有しているために、設計、調整が容易であって、コスト低減を図り得、しかも、禁止手段２２が揺動部材８４に係合するローラ８５を具備しているために、禁止手段２２における禁止解除を行わせる解除手段２３の動作並びに当該解除手段２３の復帰をスムーズに行わせることができ、また、復帰においても巻き取りドラム６の回転を単一のラチェット爪部材８１を介して揺動部材８４に伝達するようにしているために、上記の作用と相俟って解除手段２３の復帰をスムーズに行わせることができ、設計、調整を簡単に行い得る。
【００６３】
その上窓開閉操作装置１では、巻き取りドラム６のＦ方向の回転中にラチェット爪部材８１とラチェット歯４５との係合が断続的に解除されるようになっているために、巻き取りドラム６のＦ方向の回転を一時停止しても、直ちに禁止手段２２を働かせることができ、フェールセーフなものとし得る。
【００６４】
また窓開閉操作装置１では、障子３の開放後、ラチェット爪部材８１とラチェット歯４５との係合を直ちに確保できるために、回転ハンドル手段２１を第一の位置に移動させれば、解除手段２３の復帰を直ちに行わせることができる。
【００６５】
加えて窓開閉操作装置１では、制動手段２４を有しているために、障子３の開放を制御された速度にでき、障子３の最大開放におけるストッパ部材等への激突を避けることができ、障子３及びその硝子並びにストッパ部材等の損壊を好ましく防止できる。
【００６６】
【発明の効果】
本発明によれば、回転ハンドル手段を取り付けけたままでロック解除を行うことができ、回転ハンドル手段の飛び出し又は操作指の回転ハンドル手段への巻き込み等を生じさせない安全な窓開閉操作装置を提供することができ、しかも、設計、調整が容易であって、コスト低減を図り得、その上、巻き取りドラムの逆転を禁止する禁止手段をスムーズに元に復帰させることができる窓開閉操作装置を提供することができる。
【図面の簡単な説明】
【図１】本発明の好ましい一実施の形態の図３に示す例の一部の分解説明図である。
【図２】本発明の好ましい一実施の形態の図３に示す例の他の部の分解説明図である。
【図３】本発明の好ましい一実施の形態の例の断面図である。
【図４】図３の例を排煙窓に適用した説明図である。
【図５】図３の例の操作ハンドルを折り畳んだ場合の正面図である。
【図６】図３の例の操作ハンドルを折り畳んだ場合の底面図である。
【図７】図３の例の化粧カバー及び中間基台を取り除いた正面説明図である。
【図８】図３の例の化粧カバー及び中間基台を取り除いた一部拡大説明図である。
【図９】図３の例の動作説明図である。
【図１０】図３の例の動作説明図である。
【符号の説明】
１  窓開閉操作装置
２  ガスステイ
３  障子
４  ワイヤ
６  巻き取りドラム
２１  回転ハンドル手段
２２  禁止手段
２３  解除手段
【図１】
0004138112.tif 000002
【図２】
0004138112.tif 000003
【図３】
0004138112.tif 000004
【図４】
0004138112.tif 000005
【図５】
0004138112.tif 000006
【図６】
0004138112.tif 000007
【図７】
0004138112.tif 000008
【図８】
0004138112.tif 000009
【図９】
0004138112.tif 000010
【図１０】
0004138112.tif 000011